(57)【特許請求の範囲】
【請求項１】
ケース内に固定され駆動部材を有する駆動源と、
前記駆動部材に連結された作動部材と、
前記ケースに回動可能に支持され、前記駆動源への通電に基づき駆動部材が移動されることに対応して回動されるレバー部材と、
前記ケースに回動可能に支持されるとともに自重によって下方に回動し、ケースに形成された遊技球の誘導口を開閉する扉部材と、
前記扉部材の側部に形成された係合部材と、を備え、
前記駆動源の作動によって、前記レバー部材と前記係合部材とが相互に係合することにより、前記扉部材の自重による下方への回動を禁止して扉部材を介して前記ケースの誘導口を閉鎖する第１状態と、
前記駆動部材の移動に対応して前記レバー部材が回動されると共に、前記係合部材が前記レバー部材との当接状態を維持しつつ該レバー部材に追従移動し、前記係合部材の追従移動と共に前記扉部材が自重により下方に回動されて前記ケースの誘導口を開放する第２状態とに変更可能に構成され、
記扉部材の側部にて前記係合部材と離間して設けられ、前記駆動源の作動に伴って前記扉部材が自重により下方に回動しない場合に、前記レバー部材と当接させることでレバー部材を介して扉部材を強制的に下方に回動させて前記第２状態に変更させるための突起部を有することを特徴とする遊技機。
【請求項２】
前記駆動源の作動に伴って前記扉部材が自重により下方に回動しない状態において、前記扉部材の突起部は、前記レバー部材の回動軌跡上に存在することを特徴とする請求項１に記載の遊技機。
【請求項３】
前記作動部材に形成された支持溝と、
前記作動部材に形成された長孔と、
前記レバー部材に形成された支持ピンと、
前記レバー部材の両側に形成された摺動ピンとを備え、
前記レバー部材の支持ピンは、前記作動部材の支持溝に回動可能に支持され、
前記レバー部材の両側における各摺動ピンの内一方の摺動ピンは、前記作動部材の長孔内を摺動可能に挿嵌されるとともに、レバー部材の両側における各摺動ピンは前記ケースに回動可能に支持されることを特徴とする請求項１又は請求項２に記載の遊技機。
【請求項４】
前記駆動源はソレノイドから構成されるとともに前記駆動部材はソレノイドに付設されるプランジャから構成されることを特徴とする請求項１乃至請求項３のいずれかに記載の遊技機。
【発明の詳細な説明】
【技術分野】
【０００１】
本発明は、パチンコ遊技機の遊技盤に配設される可変入賞装置を備えた遊技機に関するものである。
【背景技術】
【０００２】
従来より、パチンコ遊技機の遊技盤に配設される各種の可変入賞装置が提案されている。
例えば、特開２００１−２５２４１０号公報には、ソレノイドのオン・オフに対応して、複雑な連結機構により球誘導可動体を移動させるとともに、開閉翼片の開閉動作を行うように構成された可変入賞装置が記載されている。
【０００３】
また、特開２０１１−２４７１４号公報には、ソレノイドのオン・オフに対応して、連結機構により２つの各回動片を開閉させる可変入賞装置が記載されている。
【先行技術文献】
【特許文献】
【０００４】
【特許文献１】特開２００１−２５２４１０号公報
【特許文献２】特開２０１１−２４７１４号公報
【発明の概要】
【発明が解決しようとする課題】
【０００５】
ここに、前記特許文献１及び２に記載された可変入賞装置では、ソレノイド及びソレノイドに連結された複雑な連結機構を使用し、ソレノイドの駆動力を連結機構を通じて開閉翼片・回動片（扉部材）に伝達する構成を採用している。
【０００６】
しかしながら、このような構成では、ソレノイドからの駆動力は、連結機構を介して伝達されることから、ソレノイドの駆動力が扉部材にまで伝達されるには時間がかかってしまい、ソレノイドから扉部材まで駆動力が伝達される速度が遅くなってしまう問題がある。
また、ソレノイドと扉部材との間に連結機構が存在しており、ソレノイドの駆動力を扉部材まで伝達するには、連結機構を作動させる必要があることから、大きな駆動力を発生する大型のソレノイドを使用しなければならないという問題がある。
【０００７】
本発明は前記従来技術の問題点を解消するためになされたものであり、複雑な連結機構を使用することなく且つ大型の駆動源を必要とすることなく、自重により下方に開放する扉部材を採用し、シンプルな構成により扉部材を開閉可能とするとともに、何らかの事情により扉部材が開放されない場合においても扉部材を開放することが可能な可変入賞装置を備えた遊技機を提供することを目的とする。
【課題を解決するための手段】
【０００８】
前記目的を達成するため請求項１に係る遊技機は、ケース内に固定され駆動部材を有する駆動源と、前記駆動部材に連結された作動部材と、前記ケースに回動可能に支持され、前記駆動源への通電に基づき駆動部材が移動されることに対応して回動されるレバー部材と、前記ケースに回動可能に支持されるとともに自重によって下方に回動し、ケースに形成された遊技球の誘導口を開閉する扉部材と、前記扉部材の側部に形成された係合部材と、を備え、前記駆動源の作動によって、前記レバー部材と前記係合部材とが相互に係合することにより、前記扉部材の自重による下方への回動を禁止して扉部材を介して前記ケースの誘導口を閉鎖する第１状態と、前記駆動部材の移動に対応して前記レバー部材が回動されると共に、前記係合部材が前記レバー部材との当接状態を維持しつつ該レバー部材に追従移動し、前記係合部材の追従移動と共に前記扉部材が自重により下方に回動されて前記ケースの誘導口を開放する第２状態とに変更可能に構成され、記扉部材の側部にて前記係合部材と離間して設けられ、前記駆動源の作動に伴って前記扉部材が自重により下方に回動しない場合に、前記レバー部材と当接させることでレバー部材を介して扉部材を強制的に下方に回動させて前記第２状態に変更させるための突起部を有することを特徴とする。
【０００９】
請求項２に係る遊技機は、請求項１の遊技機において、前記駆動源の作動に伴って前記扉部材が自重により下方に回動しない状態において、前記扉部材の突起部は、前記レバー部材の回動軌跡上に存在することを特徴とする。
【００１０】
請求項３に係る遊技機は、請求項１又は請求項２の遊技機において、前記作動部材に形成された支持溝と、前記作動部材に形成された長孔と、前記レバー部材に形成された支持ピンと、前記レバー部材の両側に形成された摺動ピンとを備え、前記レバー部材の支持ピンは、前記作動部材の支持溝に回動可能に支持され、前記レバー部材の両側における各摺動ピンの内一方の摺動ピンは、前記作動部材の長孔内を摺動可能に挿嵌されるとともに、レバー部材の両側における各摺動ピンは前記ケースに回動可能に支持されることを特徴とする。
【００１１】
ここに、請求項４に記載するように、前記駆動源はソレノイドから構成されるとともに前記駆動部材はソレノイドに付設されるプランジャから構成されることが望ましい。
【発明の効果】
【００１２】
請求項１に係る遊技機では、駆動源の作動によって、レバー部材と係合部材とが相互に係合することにより、扉部材の自重による下方への回動を禁止して扉部材を介してケースの誘導口を閉鎖する第１状態と、駆動部材の移動に対応してレバー部材が回動されると共に、係合部材がレバー部材との当接状態を維持しつつレバー部材に追従移動し、係合部材の追従移動と共に扉部材が自重により下方に回動されてケースの誘導口を開放する第２状態とに変更可能に構成されている。
【００１３】
これにより、複雑な連結機構を使用することなく且つ大型の駆動源を必要とすることなく、自重により下方に回動する扉部材を採用したことに基づき、作動部材とレバー部材からなるシンプルな構成により扉部材の開閉動作を行うことが可能となる。
【００１４】
また、駆動源の作動に伴って扉部材が自重により下方に回動しない場合には、レバー部材と当接させることでレバー部材を介して扉部材を強制的に下方に回動させて第２状態に変更させるため突起部を有するので、駆動源の作動時に何らかの事情により扉部材が開放されない場合においても扉部材を開放することが可能となる。
【００１５】
また、請求項２に係る遊技機では、駆動源の作動に伴って扉部材が自重により下方に回動しない状態において、扉部材の突起部は、レバー部材の回動軌跡上に存在するので、駆動源の作動時にレバー部材が回動されると、レバー部材は、突起部と確実に係合して強制的に突起部を跳ね上げる。これにより、駆動源の作動時に何らかの事情により扉部材が開放されない場合においても扉部材を強制的に開放することが可能となる。
【００１６】
更に、請求項３に係る遊技機では、駆動源の駆動部材と扉部材とを連結する連結構造として、作動部材に形成された支持溝と、作動部材に形成された長孔と、レバー部材に形成された支持ピンと、レバー部材の両側に形成された摺動ピンとを備え、レバー部材の支持ピンは、作動部材の支持溝に回動可能に支持され、レバー部材の両側における各摺動ピンの内一方の摺動ピンは、作動部材の長孔内を摺動可能に挿嵌されるとともに、レバー部材の両側における各摺動ピンはケースに回動可能に支持される構成としたので、自重により下方に開放する扉部材を採用したこととも相まって、シンプルな構成により扉部材を開閉可能となる。
【図面の簡単な説明】
【００１７】
【図１】本実施形態に係るパチンコ遊技機の正面図である。
【図２】遊技盤の正面図である。
【図３】中央可変入賞装置の斜視図である。
【図４】中央可変入賞装置の分解斜視図である。
【図５】扉開閉機構を内蔵するケースを分解して扉部材側から見て示す斜視図であり、図５（Ａ）は上ケースの斜視図、図５（Ｂ）は扉開閉機構の斜視図、図５（Ｃ）は下ケースの斜視図である。
【図６】扉開閉機構を内蔵するケースを分解してソレノイド側から見て示す斜視図であり、図６（Ａ）は上ケースの斜視図、図６（Ｂ）は扉開閉機構の斜視図、図６（Ｃ）は下ケースの斜視図である。
【図７】ソレノイドの非通電時における第１状態の扉開閉機構の側面図である。
【図８】ソレノイドの通電時における第２状態の扉開閉機構の側面図である。
【図９】ソレノイドの通電時において、レバー部材を強制的に開放させる初期状態を示す扉開閉機構の側面図である。
【発明を実施するための形態】
【００１８】
以下、本発明に係る可変入賞装置について、本発明を具体化した実施形態に基づき図面を参照しつつ説明する。
先ず、本実施形態に係る可変入賞装置が搭載されるパチンコ遊技機の基本構成について図１、図２に基づき説明する。
【００１９】
図１において、パチンコ遊技機１の中央部には、遊技盤設置領域２が設けられており、かかる遊技盤設置領域２の背後には、後述する遊技盤３が設置される。パチンコ遊技機１の遊技盤設置領域２より下方には、上皿４及び下皿５が上下２段にして設けられている。下皿５の右端部には操作ノブ６が配設されており、かかる操作ノブ６を操作することにより上皿４に貯留された遊技球が遊技盤３に向けて弾き出される。
【００２０】
尚、上皿４の上部には、押下操作部材７が配置されている。この押下操作部材７の内部にはスイッチが内蔵されており、押下操作部材７は、ゲームの進行に伴い所定のゲームシーンで遊技者により押下操作される。
【００２１】
図２に示すように、遊技盤３には、ガイドレール８で囲まれたほぼ円形の遊技領域９が形成され、この遊技領域９の略中央部にはセンター役物１０が配設されている。センター役物１０の内側には、表示装置１１が配設されている。
【００２２】
表示装置１１の左側辺とガイドレール８との間には、風車１２が設けられている。表示装置１１の下方には、本実施形態に係るパチンコ遊技機１に特徴的な中央可変入賞装置Ａが配設されている。中央可変入賞装置Ａには、始動入賞口１３、下側入賞口１４等が設けられている。中央可変入賞装置Ａについては、後述する。
また、中央可変入賞装置Ａの斜め右上方には、大入賞口１５が設けられており、更に中央可変入賞装置Ａの下方位置には、外れ球受け入れ口１６が設けられている。
【００２３】
遊技領域９に配設されたセンター役物１０の左側には、始動ゲート１７が設けられている。さらに、遊技領域９全体に亘って、図示しない複数の障害釘が起立している。
【００２４】
次に所要の各部位について詳説する。
始動ゲート１７は、門形構造をなしかつ検出スイッチを内蔵し、始動ゲート１７を通過した遊技球が検出スイッチにて検出される。そして、その検出信号に基づいて、表示装置１１に設けられた普通図柄表示領域の図柄が変動表示される。尚、普通図柄の変動表示の結果が当たりであれば、後述するように、中央可変入賞装置Ａに設けられる扉部材１８が開放される。
【００２５】
始動入賞口１３は、所謂、ポケット構造をなして上方に向かって開口しており、かかる始動入賞口１３の開口幅は、遊技球が約１つ入る大きさになっている。始動入賞口１３に遊技球が入賞すると、始動入賞口１３内に設けた検出スイッチが遊技球を検出し、その検出信号に基づいてカウンタから乱数が取得されるとともにその取得された乱数と大当たり抽選テーブルとを参照して大当たり抽選が行われる。かかる大当たり抽選の結果に基づいて表示装置１１が図柄を変動表示する。なお、表示装置１１が図柄を変動表示している間に、始動入賞口１３に入賞した入賞球は、例えば、４個まで累積カウントされる。
【００２６】
また同様に、遊技球が始動入賞口１３に入賞した際には、別のカウンタから乱数が取得されるとともにその取得された乱数と確率変動（以下、確変と略記する）モード抽選テーブルとを参照して確変モード（高確率状態）に移行するかどうかの抽選が行われる。この抽選により確変モードへの移行を獲得すると、確変モードへの移行が確定された後に、その旨が表示装置１１に表示される。
【００２７】
下側入賞口１４には、下側入賞口１４を開閉する扉部材１８（詳細な構成については後述する）が回動可能に設けられており、かかる扉部材１８は、遊技球が始動ゲート１７を通過したことが検出された際に、後述の開閉機構を介して下側入賞口１４を開放する。
【００２８】
大入賞口１５は、横長に形成されて、常には、可動扉１９にて閉鎖されている。そして、前記のように大当たりが確定することによって、遊技盤３の裏に設けたソレノイドが駆動され、可動扉１９が所定期間に亘って前側に倒れ、大当たり遊技が開始される（図２の状態）。これにより、大入賞口１５が開放され、可動扉１９を案内にして、大入賞口１５に多くの遊技球が入賞可能になる。ここで、可動扉１９が、開放してから閉じるまでの間を「ラウンド」と称すると、１つのラウンドは、可動扉１９の開放時間が３０秒に達したか、又は、大入賞口１５に遊技球が１０個入賞したか、の何れかの条件が先に満たされた場合に終了する。尚、本実施形態では、１回の「大当たり遊技」は、最大で１６ラウンドまで継続して行われる。また、本実施形態では、実行可能な残りのラウンド数は、表示装置１１のラウンド表示部にて表示される。
【００２９】
表示装置１１は、センター役物１０の後端面に、図示しない液晶モジュール（詳細には、ＴＦＴ−ＬＣＤモジュール）を組み付けてなる。
表示装置１１には、通常は、左、中、右の３つの特別図柄が、横並びに表示されている。これら各特別図柄は、例えば、「０」〜「１１」の数字を表記した複数種類のもので構成されており、通常は、各特別図柄ごとに、所定の種類のものが、確定表示されている。そして、始動入賞口１３に遊技球が入賞したときに、各特別図柄が、上下方向にスクロールして変動表示され、所定時間後に、例えば、左、中、右の順で各特別図柄が停止表示される。このとき、例えば、全ての特別図柄が同じ図柄、即ち、ぞろ目になった場合に、「大当たり遊技」が開始され、可動扉１９が開かれる。
【００３０】
特別図柄の表示領域の左下隅には、普通図柄表示領域が設けられている。この普通図柄表示領域は、始動ゲート１７内に設けた検出スイッチが遊技球の通過を検出したときに、例えば、「０」〜「９」までの数字を所定期間に亘って変動表示した後、所定の数字を確定表示する。そして、確定表示された数字が、例えば、奇数の場合に、下側入賞口１４に付設された扉部材１８が所定期間（例えば、０．４秒）に亘って横に倒される。また、普通図柄表示領域が変動表示している間に始動ゲート１７を通過した遊技球は、例えば、４つまで累積カウントされ、例えば、図示しないＬＥＤの点灯数で表示される。
【００３１】
続いて、中央可変入賞装置Ａの構成について、図３乃至図９に基づいて説明する。中央可変入賞装置Ａは、基本的に、役物装置２０及び役物装置２０が取り付けられるケース２１とから構成される。
役物装置２０は、図３、図４に示すように、平板部２２の表面側上部に形成された始動入賞受け部２３と、始動入賞受け部２３の下方で下側入賞口１４の開閉を行う扉部材１８の前面側に配置される下側入賞カバー部２４とが一体に構成されてなる。
【００３２】
始動入賞受け部２３の上部には、始動入賞口１３が開口されており、始動入賞口１３に入球した遊技球は、平板部２２にて始動入賞受け部２３の背面側に形成された遊技球通路２５を通過した後パチンコ遊技機１の内部に案内される。
【００３３】
下側入賞カバー部２４の背面側には、凹状溝２６（図４参照）が形成されており、また、凹状溝２６の左右両側には、遊技球案内傾斜面２７、２７が形成されている。凹状溝２６は、扉部材１８との間で遊技球の通過路を形成し、具体的に、扉部材１８が下側入賞口１４を閉鎖している状態において、遊技球案内傾斜面２７、２７を案内される遊技球は、扉部材１８と凹状溝２６とで形成される通過路を通過し、最終的に外れ球受け入れ口１６からパチンコ遊技機１の内部に回収される。
【００３４】
中央可変入賞装置Ａを構成するケース２１は、図５、図６に示すように、上ケース２１Ａと下ケース２１Ｂとから構成され、上ケース２１Ａと下ケース２１Ｂとの間には、扉作動機構２８が収納される収納部２９が形成されている。ケース２１の前端部（図３、図４中右側端部）には、下側入賞口１４が開口しており、かかる下側入賞口１４の前面には扉部材１８が配置されている。
【００３５】
次に、扉作動機構２８について、図５、図６に基づき説明する。図５、図６において、扉作動機構２８は、基本的に、プランジャ（摺動軸）３０を有するソレノイド３１、プランジャ３０に連結された作動部材３２、作動部材３２に回動可能に支持されたレバー部材３３、及び、レバー部材３３との協働作用に基づき下側入賞口１４の開閉を行う扉部材１８とから構成されている。
【００３６】
ここに、図６（Ｂ）に示すように、プランジャ３０の先端には円板３０Ａが固設されており、また、作動部材３２の基端部３２Ａには、円板３０Ａが嵌合される連結溝３２Ｅが形成されている。このように、プランジャ３０と作動部材３２とは、円板３０Ａを連結溝３２Ｅに嵌合することにより相互に連結される。また、作動部材３２は、基端部３２Ａ及び基端部３２Ａから垂直に延設された板状部３２Ｂを有している。また、板状部３２Ｂにおいて、上端縁から下方に延びた縦溝状の支持溝３２Ｃが形成されるとともに、支持溝３２Ｃの下方位置には水平方向に延びる長孔３２Ｄが形成されている。
【００３７】
レバー部材３３は略三角形状を有する板材から形成され、その上側頂点の一側面（図５（Ｂ）中背面側、図６（Ｂ）中正面側）からは、水平方向に支持ピン３３Ａが延設されており、また、その下側頂点の両面からは、摺動ピン３３Ｂが延設されている。また、残りの頂点からは、棒状の作動部３３Ｃが延設されている。
【００３８】
ここに、レバー部材３３の支持ピン３３Ａは、作動部材３２の支持溝３２Ｃ内に回動可能に支持されている。また、各摺動ピン３３Ｂの内、支持ピン３３Ａと同一側に形成された摺動ピン３３Ｂは、作動部材３２の長孔３２Ｄ内に摺動可能に挿嵌されている。尚、各摺動ピン３３Ｂの端部は、ケース２１内において、レバー部材３３が回動可能となるように支持されている。
【００３９】
扉部材１８は、扉部１８Ａ及び扉部１８Ａの両側から斜め方向（図５（Ｂ）中左下斜め方向、図６（Ｂ）中右斜め方向）に延設された側板部１８Ｂ、１８Ｂから構成されている。扉部１８Ａには装飾部１８Ｃが形成されている。各側板部１８Ｂからは、回動軸１８Ｄが延設されており、各回動軸１８Ｄは上ケース２１Ａの支持部２１Ｃに回動可能に支持される。また、各側板部１８Ｂの内、一方の側板部１８Ｂ（図５（Ｂ）左側側板部）には、回動軸１８Ｄに隣接して係合ピン１８Ｅが水平方向に延設されており、かかる係合ピン１８Ｅは、レバー部材３３の作動部３３Ｃとの間で、後述するように、係合及びその解除が行われる。更に一方の側板部１８Ｂには、係合ピン１８Ｅから離間して設けられ作動部３３Ｃと当接可能な当接ピン１８Ｆが設けられている。
前記のように構成される扉部材１８において、図５（Ｂ）、図６（Ｂ）からも明らかなように、扉部材１８の重心は、各回動軸１８Ｄを結ぶ線分よりも扉部１８Ａ側存在しており、従って、扉部材１８は、何ら規制力が作用しない状態においては、自重で各回動軸１８Ｄの回りに回動する。
【００４０】
尚、ソレノイド３１のプランジャ３０には、図５（Ｂ）、図６（Ｂ）に示すように、ソレノイド３１の側面と作動部材３２の基端部３２Ａの側面との間でコイルスプリング３４が装着されている。かかるコイルスプリング３４は、常時作動部材３２の基端部３２Ａを一方向（図５（Ｂ）中右方向、図６（Ｂ）中左方向）に付勢している。
【００４１】
続いて、前記のように構成される扉作動機構２８の動作について、図７乃至図９に基づき説明する。
先ず、ソレノイド３１に通電されていない状態においては、作動部材３２は、コイルスプリング３４の付勢力により図７中右方向に付勢されている。これにより、レバー部材３３は、支持ピン３３Ａと支持溝３２Ｃとの協働により摺動ピン３３Ｂの回りに、図７中時計方向に回動付勢され、自重により下方に回動しようとする扉部材１８の当接ピン１８Ｆに当接している。この状態で、扉部材１８は、回動軸１８Ｄの回りに図７中反時計方向に回動付勢されており、この結果、扉部材１８は、下側入賞口１４を閉鎖する第１状態に保持されている。
【００４２】
この後、遊技球が始動ゲート１７を通過するとともに普通図柄の表示結果が当たりになると、扉部材１８を自重で下方に回動させて下側入賞口１４を開放するためソレノイド３１に通電される。ソレノイド３１に通電されると、プランジャ３０がコイルスプリング３４の付勢力に抗して図７中左方向に移動される。これと同時に、作動部材３２も図７中左方向に移動される。
【００４３】
これにより、レバー部材３３は、支持ピン３３Ａと支持溝３２Ｃとの協働により摺動ピン３３Ｂの回りに反時計方向に回動され、これに伴い作動部３３Ｃも反時計方向に回動されていく。このとき、扉部材１８の係合ピン１８Ｅは扉部材１８の自重により作動部３３Ｃと当接しつつ上方に移動していき、これにより扉部材１８は、その自重によって回動軸１８Ｄの回りに時計方向に回動される。この結果、下側入賞口１４は、扉部材１８により開放される。かかる第２状態が図８に示されている。このように扉部材１８が回動されて下側入賞口１４が開放された状態では、遊技球は、遊技球案内傾斜面２７、２７及び扉部材１８にて案内されて下側入賞口１４を通過し、パチンコ遊技機１の内部に案内される。
【００４４】
前記したように、本実施形態に係るパチンコ遊技機１の遊技盤３に配設される中央可変入賞装置Ａでは、ソレノイド３１の非通電時には、レバー部材３３の作動部３３Ｃと扉部材１８の係合ピン１８Ｅとが相互に係合することにより、扉部材１８の自重による下方への回動を禁止して扉部材１８を介してケース２１の下側入賞口１４を閉鎖する第１状態（図７）に保持され、また、ソレノイド３１の通電時には、プランジャ３０の移動に対応してレバー部材３３の作動部３３Ｃと係合ピン１８Ｅとの係合が解除されつつ、扉部材１８が自重により下方に回動されてケース２１の下側入賞口１４を開放する第２状態に保持される（図８）。
【００４５】
これにより、中央可変入賞装置Ａによれば、複雑な連結機構を使用することなく且つ大型のソレノイドを必要とすることなく、自重により下方に回動する扉部材１８を採用したことに基づき、作動部材３２とレバー部材３３からなるシンプルな構成により扉部材１８の開閉動作を行うことが可能となる。
【００４６】
また、前記第２状態から第１状態に移行する際には前記した動作と反対の動作が行われるが、この間扉部材１８が徐々に下側入賞口１４を閉鎖する方向に回動する過程において遊技球が扉部材１８上に落下した場合においても、扉部材１８は自重により下方に回動可能であることから、扉部材１８との間で所謂「球噛み」が生じることはない。
【００４７】
更に、扉部材１８は、ソレノイド３１の駆動力を利用して強制的に開閉されるものではなく、自重で下方に回動可能に構成されていることから、ソレノイド３１に通電した状態においても何らかの事情で扉部材１８が前記のように開放されない場合もあり得る。
かかる場合には、図９に示すように、扉部材１８が自重により下方に回動しない状態、即ち、第１状態におけると同様扉部材１８が下側入賞口１４を閉鎖している状態にあり、また、レバー部材３３は、作動部材３２の左方向への移動に基づき図９中反時計方向に若干回動された状態にあるが、この状態において、扉部材１８の当接ピン１８Ｆの一部は、レバー部材３３の作動部３３Ｃの先端により描かれる回動軌跡Ｋの内側に存在している。
【００４８】
これにより、レバー部材３３の作動部３３Ｃは、ソレノイド３１に通電されて作動部材３２が若干左方向に移動されることに基づきレバー部材３３が反時計方向に若干回動された時点で、当接ピン１８Ｆに当接することとなる。この後、プランジャ３０を介して作動部材３２は更に左方向に移動され、これによりレバー部材３３は更に回動されて当接ピン１８Ｆを強制的に跳ね上げる。この結果、扉部材１８は時計方向に回動され、図８に示す第２状態となる。
【００４９】
このように、ソレノイド３１の通電時において、扉部材１８が自重により下方に回動しない場合には、レバー部材３３の作動部３３Ｃと当接ピン１８Ｆとを当接させるとともにレバー部材３３を介して扉部材１８を強制的に下方に回動させて第２状態に保持するようにしたので、ソレノイド３１の通電時何らかの事情により扉部材１８が開放されない場合においても扉部材１８を強制的に開放することが可能となる。
【００５０】
尚、本発明は前記実施形態に限定されることはなく、本発明の要旨を逸脱しない範囲内で種々の改良、変形が可能であることは勿論である。
例えば、前記実施形態では、扉部材１８を開閉させる駆動源としてソレノイド３１を使用したが、これに限らずモータ等を使用してもよい。
また、前記実施形態では、扉部材１８が正常に開放される場合、レバー部材３３の回動に追随して扉部材１８も回動されて当接ピン１８Ｆは作動部３３Ｃの回動軌跡Ｋから外れていくので、作動部３３Ｃが扉部材１８の当接ピン１８Ｆに当接されることはないが、かかる場合でも作動部３３Ｃが当接ピン１８Ｆに当接するように構成してもよい。
更に、前記実施形態では、扉部材１８が前後方向に開閉するように構成されているが、扉部材１８が左右方向に開閉される構成であってもよい。
【符号の説明】
【００５１】
１        パチンコ遊技機
１４      下側入賞口
１８      扉部材
１８Ａ    扉部
１８Ｂ    側板部
１８Ｄ    回動軸
１８Ｅ    係合ピン
１８Ｆ    当接ピン
２１      ケース
２６      凹状溝
２８      扉作動機構
３０      プランジャ
３１      ソレノイド
３２      作動部材
３２Ｃ    支持溝
３２Ｄ    長孔
３３      レバー部材
３３Ａ    支持ピン
３３Ｂ    摺動ピン
３３Ｃ    作動部
【図１】
0005961908.tif 000002
【図２】
0005961908.tif 000003
【図３】
0005961908.tif 000004
【図４】
0005961908.tif 000005
【図５】
0005961908.tif 000006
【図６】
0005961908.tif 000007
【図７】
0005961908.tif 000008
【図８】
0005961908.tif 000009
【図９】
0005961908.tif 000010